(57)【要約】【課題】サイズの異なるアンテナが搭載され得る場合であっても同種のケースを共通して使用しやすい構成を、耐衝撃性を備えた形で実現しうる携帯端末を提供する。【解決手段】携帯端末１の取付部材５０は、筐体２の係合部９と係合可能な被係合部５４と、圧縮変形及び膨張変形可能な材料によって構成されると共に、被係合部５４の周囲において取付部材５０と筐体２との間に挟まれる構成で配置される緩衝部材６０とを備えている。これにより、取付部材５０及び緩衝部材６０によってある程度の位置調整或いはサイズ調整が可能となるため、アンテナ７０のサイズに自由度をもたせることができる。また、取付部材５０と筐体２の間に緩衝部材６０を配置しているため、筐体２に対する外部衝撃がアンテナ７０に伝達されにくくなる。従って、異なるアンテナサイズに適用しやすい構造を耐衝撃性を備えた形で実現できる。【選択図】図３
2013207558.tif 000002
【特許請求の範囲】
【請求項１】
非接触通信媒体との間で電磁波を送信又は受信するアンテナを備えた携帯端末であって、
前記アンテナを収容するアンテナ収容部を備え、前記アンテナ収容部に開口部が形成されてなるケース本体と、
前記アンテナが収容された前記開口部に取り付けられる取付部材と、
を備え、
前記ケース本体は、前記取付部材と係合可能な係合部を備え、
前記取付部材は、
前記係合部と係合可能な被係合部と、
圧縮変形及び膨張変形可能な材料によって構成されると共に、前記被係合部の周囲において前記取付部材と前記ケース本体との間に挟まれる構成で配置される緩衝部材と、
を備えたことを特徴とする携帯端末。
【請求項２】
前記係合部は、前記開口部の周縁部からなり、
前記取付部材は、前記開口部の開口領域を少なくとも部分的に閉塞する閉塞部と、前記閉塞部の外縁寄りの位置から前記アンテナ収容部側に突出して形成される突出部と、前記突出部の先端側において前記開口部の前記周縁部と係止可能に構成される係止爪とを備え、前記取付部材の前記突出部が前記開口部を介して前記ケース本体内に挿入された状態で、前記係止爪が前記周縁部に係止することで、前記開口部を閉塞しつつ前記ケース本体に固定されることを特徴とする請求項１に記載の携帯端末。
【請求項３】
前記ケース本体において所定方向を厚さ方向としたときの厚さ方向一方面側に表示装置が設けられ、
前記アンテナ収容部は、前記厚さ方向において前記表示装置が設けられる前記一方面側とは反対面側に設けられ、
前記開口部は、前記ケース本体の前記反対面側の外殻をなす壁部に形成されていることを特徴とする請求項１または２に記載の携帯端末。
【請求項４】
前記取付部材は、前記開口部の開口領域を少なくとも部分的に閉塞すると共に、前記ケース本体の外壁面における前記開口部の周縁部付近を覆うように配置される被覆部を備え、
前記緩衝部材は、前記ケース本体の外壁面における前記周縁部付近と前記被覆部における前記周縁部と対向する部分との間に挟まれる構成で環状に配置されていることを特徴とする請求項１から請求項３のいずれか一項に記載の携帯端末。
【請求項５】
前記取付部材は樹脂からなり且つ前記アンテナに対してインサート成型によって一体的に固定されていることを特徴とする請求項１から請求項４のいずれか一項に記載の携帯端末。
【請求項６】
前記取付部材は、少なくとも一部が開口してなり、
前記アンテナは、前記取付部材に固定されると共に当該取付部材に形成された開口を介して少なくとも一部が外部に露出していることを特徴とする請求項１から請求項５のいずれか一項に記載の携帯端末。
【請求項７】
前記アンテナにおける前記開口から露出する露出面が、前記取付部材における前記開口の周囲の外壁面よりも前記ケース本体の内部側に位置していることを特徴とする請求項６に記載の携帯端末。
【請求項８】
前記ケース本体において所定方向を厚さ方向としたとき、前記ケース本体の厚さ方向所定側に前記アンテナ収容部が形成され、前記ケース本体における前記厚さ方向所定側の外壁部に前記開口部が形成されており、
前記アンテナは、第１の偏波方向で電磁波を発する第１アンテナと、前記第１の偏波方向とは異なる第２の偏波方向で電磁波を発する第２アンテナとを有してなり、
前記第１アンテナと前記第２アンテナとが、前記アンテナ収容部内において、前記ケース本体の前記厚さ方向に重なるように配置されていることを特徴とする請求項１から請求項７のいずれか一項に記載の携帯端末。
【発明の詳細な説明】
【技術分野】
【０００１】
本発明は、携帯端末に関するものである。
【背景技術】
【０００２】
携帯型情報コードリーダなどの携帯端末は、近年、高機能化が進行しつつあり、非接触通信機能を備えた構成なども提供されている。この種の携帯端末は、一般的に非接触通信を行うためのアンテナをケース内に収容した構成となっており、ケース内にアンテナを収容するためのスペースをある程度確保することが必須となる。
【０００３】
ケース内にアンテナを収容した携帯端末の例としては、例えば特許文献１のような技術が存在する。この特許文献１で開示される携帯情報端末装置（１）は、機器本体と蓋（６）との間に空間（１１）が形成されており、この空間（１１）内に無線通信カード（１６）のアンテナ部（１６ｂ）が収容されている。
【先行技術文献】
【特許文献】
【０００４】
【特許文献１】特開２００４−１２７９９６号公報
【発明の概要】
【発明が解決しようとする課題】
【０００５】
ところで、非接触通信媒体との間で非接触通信を行うためのアンテナの大きさは、非接触通信媒体の種類や用途などに応じて様々である。例えば、広い範囲を通信エリアとする用途では高出力のアンテナが適しており、この場合、アンテナのサイズは相対的に大きくなりやすい。逆に、それほど通信エリアを大きくする必要のない用途では低出力のアンテナが適しており、この場合、アンテナのサイズは相対的に小さくすることができる。従来の製品では、アンテナの外形が小さくなる場合、そのサイズに合わせた専用のケースを用いることで外形をスリム化し、アンテナの外形が大きくなる場合には、そのアンテナを収容し得るように相対的に大きめの専用ケースを用いていた。しかしながら、このようにアンテナのサイズに合わせて専用のケースを形成する方法では、複数種類のケースを別々に設計、製造しなければならず、量産性や設計性などの面から不利であった。
【０００６】
この点に関しては、上記特許文献１の技術も同様の問題を抱えており、携帯情報端末装置に収容されるアンテナの大きさは、機器本体と蓋との間に設けられる空間の大きさに制限され、様々な大きさのアンテナを収容することができなかった。従って、アンテナのサイズを変えた製品を提供する場合には、別途専用ケースを設計しなければならなかった。
【０００７】
このような事情から、この種の携帯端末では、外形サイズの異なる各種アンテナに対応しやすく、且つ異なる種類のアンテナが搭載される場合でも同種のケースを共通して用いやすい構成が求められている。更に、携帯端末は、使用者が手に持つ機会が極めて多く、誤って落下させてしまうことに起因する衝撃等が加わりやすいという特有の事情があるため、衝撃に強い構造で上記要求を満たすことが求められる。
【０００８】
本発明は、上述した課題を解決するためになされたものであり、サイズの異なるアンテナが搭載され得る場合であっても同種のケースを共通して使用しやすい構成を、耐衝撃性を備えた形で実現しうる携帯端末を提供することを目的とする。
【課題を解決するための手段】
【０００９】
上記目的を達成するため、本発明は、非接触通信媒体との間で電磁波を送信又は受信するアンテナを備えた携帯端末であって、前記アンテナを収容するアンテナ収容部を備え、前記アンテナ収容部に開口部が形成されてなるケース本体と、前記アンテナが収容された前記開口部に取り付けられる取付部材と、を備え、前記ケース本体は、前記取付部材と係合可能な係合部を備え、前記取付部材は、前記係合部と係合可能な被係合部と、圧縮変形及び膨張変形可能な材料によって構成されると共に、前記被係合部の周囲において前記取付部材と前記ケース本体との間に挟まれる構成で配置される緩衝部材と、を備えたことを特徴とする。
【発明の効果】
【００１０】
請求項１の発明では、非接触通信媒体との間で電磁波を送信又は受信するアンテナを備えた携帯端末であって、アンテナを収容するアンテナ収容部を備え、アンテナ収容部に開口部が形成されてなるケース本体と、アンテナが収容された開口部に取り付けられる取付部材とを備えている。また、ケース本体は、取付部材と係合可能な係合部を備えている。さらに、取付部材は、ケース本体の係合部と係合可能な被係合部と、圧縮変形及び膨張変形可能な材料によって構成されると共に、被係合部の周囲において取付部材とケース本体との間に挟まれる構成で配置される緩衝部材とを備えている。
【００１１】
この構成によれば、取付部材及び緩衝部材によってある程度の位置調整或いはサイズ調整が可能となるため、アンテナ収容部に収容されるアンテナのサイズに自由度をもたせることができる。また、取付部材とケース本体の間に緩衝部材を配置しているため、ケース本体に対する外部衝撃がアンテナに伝達されにくくなる。従って、異なるアンテナサイズに適用しやすい構造を耐衝撃性を備えた形で実現できる。
【００１２】
請求項２の発明では、係合部は、開口部の周縁部から構成されている。また、取付部材は、開口部の開口領域を少なくとも部分的に閉塞する閉塞部と、閉塞部の外縁寄りの位置からアンテナ収容部側に突出して形成される突出部と、突出部の先端側において開口部の周縁部と係止可能に構成される係止爪とを備えている。そして、取付部材の突出部が開口部を介してケース本体内に挿入された状態で、係止爪が周縁部に係止することで、開口部を閉塞しつつケース本体に固定されるようになっている。
この構成によれば、取付部材の突出部をケース本体内に挿入して係止爪を周縁部に係止させることで、ネジなどの締結部材を用いることなく、取付部材をケースに固定することができるので、部品点数を削減できると共に、組み付けが容易となる。
【００１３】
請求項３の発明では、ケース本体において所定方向を厚さ方向としたときの厚さ方向一方面側に表示装置が設けられている。また、アンテナ収容部は、厚さ方向において表示装置が設けられる一方面側とは反対面側に設けられている。さらに、開口部は、ケース本体の反対面側の外殻をなす壁部に形成されている。
この構成によれば、携帯端末の使用者等が、表示装置を確認しながら、非接触通信媒体と非接触通信を行いやすくなり、操作性を向上させることができる。また、アンテナが高利得アンテナの場合には、このようにアンテナ収容部を配置することで、より利得が得られやすくなる。
【００１４】
請求項４の発明では、取付部材は、開口部の開口領域を少なくとも部分的に閉塞すると共に、ケース本体の外壁面における開口部の周縁部付近を覆うように配置される被覆部を備えている。また、緩衝部材は、ケース本体の外壁面における周縁部付近と被覆部における周縁部と対向する部分との間に挟まれる構成で環状に配置されている。
この構成によれば、取付部材とケース本体の隙間からケース本体内に水等の液体が入り込むことを、緩衝部材により抑えることができ、防水性を高めることができる。
【００１５】
請求項５の発明では、取付部材は樹脂からなり且つアンテナに対してインサート成型によって一体的に固定されている。
この構成によれば、アンテナと取付部材とを別体で設けるよりも、ケース本体の厚さをより小さくすることができ、当該携帯端末の小型化を図ることができる。
【００１６】
請求項６の発明では、取付部材は、少なくとも一部が開口して構成されている。そして、アンテナは、取付部材に固定されると共に当該取付部材に形成された開口を介して少なくとも一部が外部に露出するように構成されている。
このように、アンテナの少なくとも一部を外部に露出するように配置することで、アンテナで発生する熱を効果的に外部へ逃がすことができる。
【００１７】
請求項７の発明では、アンテナにおける開口から露出する露出面が、取付部材における開口の周囲の外壁面よりもケース本体の内部側に位置するように構成されている。
このように、アンテナを周囲の外壁面よりも凹ませる構成とすることで、アンテナに外部からの衝撃が加わりにくくなり、アンテナの破損を抑えることができる。
【００１８】
請求項８の発明では、ケース本体において所定方向を厚さ方向としたとき、ケース本体の厚さ方向所定側にアンテナ収容部が形成され、ケース本体における厚さ方向所定側の外壁部に開口部が形成されている。また、アンテナは、第１の偏波方向で電磁波を発する第１アンテナと、第１の偏波方向とは異なる第２の偏波方向で電磁波を発する第２アンテナとを有して構成されている。そして、第１アンテナと第２アンテナとが、アンテナ収容部内において、ケース本体の厚さ方向に重なるように配置されている。
このように、第１アンテナと第２アンテナの２種類のアンテナを搭載する場合であっても、これら２つのアンテナをアンテナ収容部内において、ケース本体の厚さ方向に重なるように配置することで、１つのアンテナを搭載する型と同種のケースを共通して使用しやすくなる。
【図面の簡単な説明】
【００１９】
【図１】第１実施形態に係る携帯端末の構成概要を示す図であり、図１（Ａ）は正面図、図１（Ｂ）は側面図である。
【図２】図１の携帯端末の電気的構成を例示するブロック図である。
【図３】図３は、第１実施形態に係る携帯端末のアンテナ収容部付近を拡大して示す断面図である。
【図４】図４は、第１実施形態に係る携帯端末のアンテナ収容部付近を拡大して示す底面図である。
【図５】図５は、第１実施形態に係る係合部及び取付部材の構成を概略的に例示する断面説明図である。
【図６】図６は、第１実施形態に係る係合部及び取付部材の構成を概略的に例示する断面説明図であり、図６（Ａ）は、緩衝部材が圧縮変形した状態を例示する図であり、図６（Ｂ）は、緩衝部材が膨張変形した状態を例示する図である。
【図７】図７は、第１実施形態に係る係合部及び取付部材の構成を概略的に例示する断面説明図であり、図７（Ａ）は、緩衝部材が圧縮変形した状態を例示する図であり、図７（Ｂ）は、緩衝部材が膨張変形した状態を例示する図である。
【図８】図８は、第１実施形態に係る取付部材の構成を概略的に例示する平面図である。
【図９】図９は、第２実施形態に係る携帯端末のアンテナ収容部付近を拡大して示す断面図である。
【図１０】図１０は、第２実施形態に係る携帯端末のアンテナ収容部付近を拡大して示す底面図である。
【図１１】図１１（Ａ）は、第２実施形態に係る携帯端末の係合部及び取付部材の構成を概略的に例示する断面図であり、図１１（Ｂ）は、図１１（Ａ）の底面図である。
【図１２】図１２は、第３実施形態に係る携帯端末のアンテナ収容部付近を拡大して示す断面図である。
【発明を実施するための形態】
【００２０】
[第１実施形態]
以下、本発明の携帯端末を具現化した第１実施形態について、図面を参照して説明する。
【００２１】
（携帯端末の全体構成）
図１（Ａ），（Ｂ）に示す携帯端末１は、長手状の外観をなしており、その一端側のほぼ半分の領域が把持領域とされ、ユーザによって把持されつつ使用される構成をなしている。この携帯端末１は、例えば、ユーザによって携帯されて様々な場所で用いられる携帯型の情報端末として構成されており、バーコードや二次元コードなどの情報コードを読み取る情報コードリーダとしての機能と、無線タグを読み取る無線タグリーダとしての機能とを備え、読み取りを二方式で行いうる構成となっている。
【００２２】
図１（Ａ），（Ｂ）に示すように、携帯端末１は、ＡＢＳ樹脂等の合成樹脂材料により形成される上側ケース２ａおよび下側ケース２ｂが組み付けられて構成される長手状の筐体２によって外郭が形成されている。また、上側ケース２ａには、所定の情報を入力する際に操作されるファンクションキーおよびテンキー等のキー操作部２５や、所定の情報を表示するための表示部２４等が配置されている。なお、筐体２は、「ケース本体」の一例に相当する。また、表示部２４は、「表示装置」の一例に相当する。
【００２３】
また、図１および図２に示すように、下側ケース２ｂには、下方に向けて開口する読取口１１ｃが形成されている。さらに、下側ケース２ｂには、非接触通信媒体との間で電磁波を送信又は受信するアンテナ７０を収容するアンテナ収容部４などが形成されている。なお、アンテナ収容部４については、後に詳述する。
【００２４】
本実施形態では、筐体２の長手方向を前後方向とし、読取口１１ｃが形成された側を前方側、それとは反対側を後方側としている。また、筐体２の厚さ方向を上下方向とし、キー操作部２５や表示部２４が設けられた側を上方側、それとは反対側を下方側としている。また、これら前後方向及び上下方向と直交する方向を幅方向（横方向）としている。なお、図１では前後方向をＸ軸方向として示しており、上下方向をＹ軸方向として示している。また、幅方向（横方向）をＺ軸方向として示している。さらに、筐体２の上面は、「厚さ方向一方面」に相当する。また、筐体２の下面は、「反対面」の一例に相当する。そして、表示部２４は、筐体２の上面側に設けられており、アンテナ収容部４は、筐体２の下面側（すなわち、表示部２４が設けられる面とは反対面側）に設けられている。
【００２５】
（携帯端末の電気的構成）
次に、携帯端末１が備えている機能について説明する。
図２（Ａ）に示すように、携帯端末１の筐体２内には、携帯端末１全体を制御する制御部２１が設けられている。この制御部２１は、マイコンを主体として構成されるものであり、ＣＰＵ、システムバス、入出力インタフェース等を有し、メモリ２２とともに情報処理装置を構成している。また、制御部２１には、ＬＥＤ２３、表示部２４、キー操作部２５、スピーカ２６、外部インタフェース２７などが接続されている。キー操作部２５は、制御部２１に対して操作信号を与える構成をなしており、制御部２１は、この操作信号を受けて操作信号の内容に応じた動作を行う。また、ＬＥＤ２３、表示部２４およびスピーカ２６は、制御部２１によって制御される構成をなしており、それぞれ、制御部２１からの指令を受けて動作する。外部インタフェース２７は、外部装置（例えばホスト装置）との間でのデータ通信を行うためのインタフェースとして構成されており、制御部２１と協働して通信処理を行う構成をなしている。また、筐体２内には、電源部２８が設けられており、この電源部２８やバッテリ２９によって制御部２１や各種電気部品に電力が供給されるようになっている。
【００２６】
また、制御部２１には、情報コードを光学的に読み取るための情報コード読取部３０が接続されている。この情報コード読取部３０は、図２（Ｂ）に示すように、ＣＣＤエリアセンサからなる受光センサ３３、結像レンズ３７、複数個のＬＥＤやレンズ等から構成される照明部３１などを備えた構成をなしており、制御部２１と協働して読取対象Ｒに付された情報コードＣ（バーコードや二次元コード）を読み取るように機能する。
【００２７】
この情報コード読取部３０によって読み取りを行う場合、まず、制御部２１によって指令を受けた照明部３１から照明光Ｌｆが出射され、この照明光Ｌｆが読取口１１ｃ（図１（Ｂ）参照）を通って読取対象Ｒに照射される。そして、照明光Ｌｆが情報コードＣ（バーコードや二次元コード）にて反射した反射光Ｌｒは読取口１１ｃを通って装置内に取り込まれ、結像レンズ３７を通って受光センサ３３に受光される。読取口１１ｃと受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ２２（図２（Ａ））に記憶され、情報コードＣに含まれる情報を取得するためのデコード処理に用いられるようになっている。なお、情報コード読取部３０には、受光センサ３３からの信号を増幅する増幅回路や、その増幅された信号をデジタル信号に変換するＡＤ変換回路等が設けられているがこれらの回路については図示を省略している。
【００２８】
また、制御部２１には、非接触通信部４０が接続されている。この非接触通信部４０は、アンテナ７０及び制御部２１と協働してＲＦＩＤタグ等の非接触通信媒体との間で電磁波による通信を行ない、非接触通信媒体に記憶されるデータの読取り、或いは非接触通信媒体に対するデータの書込みを行なうように機能するものである。この非接触通信部４０は、公知の電波方式で伝送を行う回路として構成されており、図２（Ｃ）にて概略的に示すように、制御部４１に加えて、発振器４２、変調器４３、復調器４４などを備えてなるものである。なお、非接触通信部４０には、これら以外の公知構成（例えば、増幅器、フィルタ回路、整合回路等）も設けられているが、図２（Ｃ）ではこれらについては図示を省略している。
【００２９】
（特徴的部分の構成）
次に、図３〜８等を参照し、本実施形態の特徴的構成について詳述する。
本実施形態では、上述したように、筐体２に、アンテナ収容部４が設けられており、このアンテナ収容部４内にアンテナ７０が収容されている。アンテナ収容部４には、下方に向けて開口する開口部６が筐体２の下壁部１５に形成されている。この開口部６は、アンテナ７０の外形よりも若干大きく構成されており、この開口部６からアンテナ７０が筐体２に収容される（嵌め込まれる）ようになっている。そして、開口部６の周縁部８は、後述する取付部材５０と係合可能な係合部９として構成されている。
【００３０】
アンテナ７０は、板状のセラミック材によって構成されており、基板８０と重ねられた状態で互いに半田付け等により接合され、固定されている。そして、このアンテナ７０は、図４に示すように、平面視したときの板面形状が矩形形状をなしている。また、基板８０は、例えば、樹脂材料などによって板状に構成されており、アンテナ７０よりも大きいサイズで矩形状に構成されている。そして、アンテナ７０は、開口部６側から取付部材５０によって、アンテナ収容部４内に収容された状態で、筐体２に取り付けられるようになっている。
【００３１】
取付部材５０は、図３、５、６、７に示すように、開口部６の開口領域を閉塞する閉塞部５２と、筐体２に設けられる係合部９と係合可能な被係合部５４とを備えている。閉塞部５２は、筐体２の下壁部１５の外壁面における開口部６の周縁部８付近を覆うように配置される被覆部５３として構成されている。被係合部５４は、閉塞部５２の外縁寄りの位置からアンテナ収容部４側に突出して形成される突出部５６と、突出部５６の先端側において開口部６の周縁部８と係止可能に構成される係止爪５８とを備えている。取付部材５０は、樹脂材料などによって構成されており、突出部５６及び係止爪５８は、閉塞部５２と一体的に形成されている。また、突出部５６は、弾性変形可能に構成されている。なお、図４、８では、被係合部５４が合計８個設けられている例を示したが、被係合部５４の数はこれに限定されず、適宜変更することができる。
【００３２】
そして、被係合部５４の周囲において取付部材５０と筐体２との間に挟まれる構成で緩衝部材６０が配置されている。この緩衝部材６０は、圧縮変形及び膨張変形可能な材料によって構成されている。例えば、緩衝部材６０の材質としては、天然ゴム、ウレタンゴム、クロロプレンゴム、フッ素ゴム、オレフィン系エラストマー、ゴムスポンジ、シリコーンスポンジなどを挙げることができる。さらに、緩衝部材６０は、図８に示すように、閉塞部５２の外縁に沿って環状に配置されている。このように、緩衝部材６０を設けることで、取付部材５０と筐体２の隙間から、筐体２内に水等の液体が入り込むことを抑えることができる。
【００３３】
次に上記のように構成される取付部材５０を筐体２側へ取り付ける取付構造について、説明する。
まず、取付部材５０の突出部５６が設けられる側を開口部６に対向して配置するとともに（図５）、突出部５６を弾性的に変形させながら（各突出部５６を互いに近接させるように変形させながら）、開口部６内に挿入する。このとき、緩衝部材６０は、圧縮変形された状態となり、この緩衝部材６０の厚さはαとなるとともに、突出部５６の係止爪５８は、開口部６の周縁部８を超えた位置まで移動する（図６（Ａ））。そして、圧縮変形された緩衝部材６０がその復元力によって膨張変形することで、当該緩衝部材６０の厚さがβまで大きくなる（図６（Ｂ））。この緩衝部材６０の膨張変形により、係止爪５８は、係合部９と係合する位置まで移動する。このように、取付部材５０の突出部５６が開口部６を介して筐体２内に挿入された状態で、係止爪５８が周縁部８に係止することで、取付部材５０が開口部６を閉塞しつつ筐体２に固定されるようになっている（いわゆるスナップフィット構造）。そして、取付部材５０及び緩衝部材６０によってアンテナ７０の配置を適切に調整することができるため、従来のケースを用いる場合と比べて、例えば、ξの厚さ分、ケースサイズを小型化することができる（図３）。
【００３４】
なお、図７には、アンテナ７０も一緒に示してある。本実施形態では、アンテナ７０をアンテナ収容部４内に収容した後に、取付部材５０を筐体２に取り付けてもよく、図７に示すように、アンテナ７０を取付部材５０側へ配置した後、アンテナ７０と取付部材５０を一緒に、筐体２に取り付けるようにしてもよい。また、取付部材５０を筐体２に取りつけた後も、この緩衝部材６０が圧縮変形及び膨張変形することで、外部からの衝撃が分散吸収されることで、アンテナ７０側へこの衝撃が伝わりにくくなる。
【００３５】
以上説明したように、本実施形態に係る携帯端末１では、非接触通信媒体との間で電磁波を送信又は受信するアンテナ７０を備えた携帯端末１であって、アンテナ７０を収容するアンテナ収容部４を備え、アンテナ収容部４に開口部６が形成されてなる筐体２と、アンテナ７０が収容された開口部６に取り付けられる取付部材５０とを備えている。また、筐体２は、取付部材５０と係合可能な係合部９を備えている。さらに、取付部材５０は、筐体２の係合部９と係合可能な被係合部５４と、圧縮変形及び膨張変形可能な材料によって構成されると共に、被係合部５４の周囲において取付部材５０と筐体２との間に挟まれる構成で配置される緩衝部材６０とを備えている。
【００３６】
この構成によれば、取付部材５０及び緩衝部材６０によってある程度の位置調整或いはサイズ調整が可能となるため、アンテナ収容部４に収容されるアンテナ７０のサイズに自由度をもたせることができる。また、取付部材５０と筐体２の間に緩衝部材６０を配置しているため、筐体２に対する外部衝撃がアンテナ７０に伝達されにくくなる。従って、異なるアンテナサイズに適用しやすい構造を耐衝撃性を備えた形で実現できる。
【００３７】
また、係合部９は、開口部６の周縁部８から構成されている。また、取付部材５０は、開口部６の開口領域を少なくとも部分的に閉塞する閉塞部５２と、閉塞部５２の外縁寄りの位置からアンテナ収容部４側に突出して形成される突出部５６と、突出部５６の先端側において開口部６の周縁部８と係止可能に構成される係止爪５８とを備えている。そして、取付部材５０の突出部５６が開口部６を介して筐体２内に挿入された状態で、係止爪５８が周縁部８に係止することで、開口部６を閉塞しつつ筐体２に固定されるようになっている。
この構成によれば、取付部材５０の突出部５６を筐体２内に挿入して係止爪５８を周縁部８に係止させることで、ネジなどの締結部材を用いることなく、取付部材５０をケースに固定することができるので、部品点数を削減できると共に、組み付けが容易となる。
【００３８】
また、筐体２において所定方向を厚さ方向としたときの厚さ方向一方面側に表示部２４が設けられている。また、アンテナ収容部４は、厚さ方向において表示部２４が設けられる一方面側とは反対面側に設けられている。さらに、開口部６は、筐体２の反対面側の外殻をなす壁部（下壁部１５）に形成されている。
この構成によれば、携帯端末１の使用者等が、表示部２４を確認しながら、非接触通信媒体と非接触通信を行いやすくなり、操作性を向上させることができる。また、アンテナ７０が高利得アンテナの場合には、このようにアンテナ収容部４を配置することで、より利得が得られやすくなる。
【００３９】
また、取付部材５０は、開口部６の開口領域を少なくとも部分的に閉塞すると共に、筐体２の外壁面における開口部６の周縁部８付近を覆うように配置される被覆部５３を備えている。また、緩衝部材６０は、筐体２の外壁面における周縁部８付近と被覆部５３における周縁部８と対向する部分との間に挟まれる構成で環状に配置されている。
この構成によれば、取付部材５０と筐体２の隙間から筐体２内に水等の液体が入り込むことを、緩衝部材６０により抑えることができ、防水性を高めることができる。
【００４０】
[第２実施形態]
次に、本発明の第２実施形態に係る携帯端末２０１について、図９〜１１を参照して説明する。本第２実施形態では、図９〜１１に示すように、アンテナ７０と取付部材５０がインサート成型によって一体的に構成されている点、アンテナ７０の一部が外部に露出している点が異なる以外は、上記第１実施形態と同様である。以下、これ以外の上記第１実施形態との相違点を中心に述べる。なお、上記第１実施形態と実質的に同一の構成部分には、同一符号を付し、その説明を省略する。
【００４１】
本第２実施形態では、取付部材５０は第１実施形態と同様に、樹脂から構成されている。そして、取付部材５０は、アンテナ７０に対してインサート成型によって一体的に固定されている。また、この取付部材５０は、一部が開口して構成されている。より具体的には、図１１に示すように、当該取付部材５０の閉塞部５２の外縁に沿って矩形形状に開口している。そして、アンテナ７０は、この矩形形状に形成された開口から一部が外部に露出して設けられている（すなわち、図９〜１１に示すように、アンテナ７０の中央領域が外部に露出している）。
【００４２】
さらに、アンテナ７０における取付部材５０の開口から露出する露出面７６が、取付部材５０における開口の周囲の外壁面（閉塞部５２の外縁）よりも筐体２の内部側に位置するように構成されている。
【００４３】
このように、本第２実施形態に係る携帯端末２０１では、取付部材５０は樹脂からなり且つアンテナ７０に対してインサート成型によって一体的に固定されているので、アンテナ７０と取付部材５０とを別体で設けるよりも、筐体２の厚さをより小さくすることができ（例えば、図９においてεで示す厚さ分、筐体２の厚さを小さくすることができ）、当該携帯端末２０１の小型化を図ることができる。
【００４４】
また、取付部材５０は、少なくとも一部が開口して構成されている。そして、アンテナ７０は、取付部材５０に固定されると共に当該取付部材５０に形成された開口を介して少なくとも一部が外部に露出するように構成されている。
このように、このようにアンテナ７０の少なくとも一部を外部に露出するように配置することで、アンテナ７０で発生する熱を効果的に外部へ逃がすことができる（なお、図１１中の矢印γは、熱の流れを示している）。
【００４５】
また、アンテナ７０における開口から露出する露出面７６が、取付部材５０における開口の周囲の外壁面よりも筐体２の内部側に位置するように構成されている。
このように、アンテナ７０を周囲の外壁面よりも凹ませる構成とすることで、アンテナ７０に外部からの衝撃が加わりにくくなり、アンテナ７０の破損を抑えることができる。
【００４６】
[第３実施形態]
次に、本発明の第３実施形態に係る携帯端末３０１について、図１２を参照して説明する。本第３実施形態では、図１２に示すように、アンテナ７０が、第１アンテナ７２と第２アンテナ７４とを有してなる点が異なる以外は、上記第１実施形態と同様である。以下、これ以外の上記第１実施形態との相違点を中心に述べる。なお、上記第１実施形態と実質的に同一の構成部分には、同一符号を付し、その説明を省略する。
【００４７】
本第３実施形態では、図１２に示すように、アンテナ７０は、第１の偏波方向で電磁波を発する第１アンテナ７２と、第１の偏波方向とは異なる第２の偏波方向で電磁波を発する第２アンテナ７４とを有して構成されている。第１アンテナ７２は、例えば、水平偏波の搬送波を送信可能に構成されており、第２アンテナ７４は、例えば、垂直偏波の搬送波を送信可能に構成されている。そして、これら第１アンテナ７２と第２アンテナ７４とが、アンテナ収容部４内において、図１２に示すように、筐体２の厚さ方向に重なるように配置されている。
【００４８】
本第３実施形態では、このように、第１アンテナ７２と第２アンテナ７４の２種類のアンテナを搭載する場合であっても、これら２つのアンテナ７２、７４をアンテナ収容部４内において、筐体２の厚さ方向に重なるように配置することで、１つのアンテナを搭載する型と同種のケースを共通して使用しやすくなる。また、従来の専用ケース（筐体）よりも、例えば、図９においてσで示す厚さ分、当該筐体２の厚さを小さくすることができる。
【符号の説明】
【００４９】
１、２０１、３０１…携帯端末
２…筐体（ケース本体）
２ａ…上側ケース
２ｂ…下側ケース
４…アンテナ収容部
６…開口部
８…周縁部
９…係合部
１５…下壁部
２１…制御部
２４…表示部（表示装置）
５０…取付部材
５２…閉塞部
５３…被覆部
５４…被係合部
５６…突出部
５８…係止爪
６０…緩衝部材
７０…アンテナ
７２…第１アンテナ
７４…第２アンテナ
７６…露出面
８０…基板
【図１】
2013207558.tif 000003
【図２】
2013207558.tif 000004
【図３】
2013207558.tif 000005
【図４】
2013207558.tif 000006
【図５】
2013207558.tif 000007
【図６】
2013207558.tif 000008
【図７】
2013207558.tif 000009
【図８】
2013207558.tif 000010
【図９】
2013207558.tif 000011
【図１０】
2013207558.tif 000012
【図１１】
2013207558.tif 000013
【図１２】
2013207558.tif 000014